(57)【要約】【課題】イメージセンサと制御回路を装備した回路基板を備えた場合でも、容易に装置を組み立てることができるレンズ駆動装置の提供。【解決手段】光学レンズ４を保持するバレルホルダ６を光軸方向に案内するガイド軸１ａ，１ｂと、イメージセンサを気密封止するベース部材１と、回路基板２とを備え、バレルホルダ６を光軸方向に移動させる駆動機構が、制御回路を形成するアクチュエータ制御ＩＣ２２と、一方が移動可能、他方が移動不能となる関係に配置される永久磁石９及びコイル１２と、磁性部材、すなわちヨーク１１とを含み、コイル１２を保持するとともに、回路基板２に組み付けられ、ヨーク１１、及びコイル１２に結線される端子１７，１８をインサート成形して成る絶縁性部材、すなわちコイルホルダ１０を備えた構成にしてある。【選択図】図１
2007241064.tif 000002
【特許請求の範囲】
【請求項１】
レンズを保持するレンズホルダと、このレンズホルダを光軸方向に移動させる駆動機構と、この駆動機構を制御する制御回路が実装される回路基板とを備え、
この回路基板に、上記駆動機構を組み付けるためのベース部材が一体に設けられるとともに、
上記駆動機構は、一方が移動可能、他方が移動不能となる関係に配置される永久磁石及びコイルと、磁気回路を構成する磁性部材とを含み、上記コイル及び上記磁性部材は絶縁性部材によって一体に保持され、上記ベース部材に組み付け可能になっており、
さらに、上記絶縁性部材に上記コイルへの通電を行うための端子が一体に設けられており、その端子は、上記回路基板に半田付け可能な半田付け部を備えることを特徴とするレンズ駆動装置。
【請求項２】
上記請求項１記載の発明において、
上記端子は、上記絶縁性部材にインサート成形されており、上記絶縁性部材が、その隅角部に切り欠き部を有し、この切り欠き部において上記端子の上記半田付け部を露出させたことを特徴とするレンズ駆動装置。
【発明の詳細な説明】
【技術分野】
【０００１】
本発明は、カメラ付き携帯電話等の小型電子機器に好適なレンズ駆動装置に関する。
【背景技術】
【０００２】
この種の従来技術として、特許文献１に示されるものがある。この従来技術は、撮影レンズを保持する移動鏡筒すなわちレンズホルダと、このレンズホルダを光軸方向に移動させるソレノイドコイル、及びこのソレノイドコイルが接続される制御回路を含む駆動機構と、レンズホルダを光軸方向に案内する固定鏡筒すなわちガイド機構とを備えている。
【特許文献１】特開平１０−２４６８４８号公報
【発明の開示】
【発明が解決しようとする課題】
【０００３】
上述した従来技術にあっては、複数のコイルが配設されるとともに、その通電のためのリード線は単に引き出されているだけなので、リード線の引き回し作業等、組み付け作業が煩雑化することが懸念される。
【０００４】
本発明は、上述した従来技術における実状からなされたもので、その目的は、コイルの組み付け作業が容易であるレンズ駆動装置を提供することにある。
【課題を解決するための手段】
【０００５】
上記目的を達成するために、本発明は、レンズを保持するレンズホルダと、このレンズホルダを光軸方向に移動させる駆動機構と、この駆動機構を制御する制御回路が実装される回路基板とを備え、この回路基板に、上記駆動機構を組み付けるためのベース部材が一体に設けられるとともに、上記駆動機構は、一方が移動可能、他方が移動不能となる関係に配置される永久磁石及びコイルと、磁気回路を構成する磁性部材とを含み、上記コイル及び上記磁性部材は絶縁性部材によって一体に保持され、上記ベース部材に組み付け可能になっており、さらに、上記絶縁性部材に上記コイルへの通電を行うための端子が一体に設けられており、その端子は、上記回路基板に半田付け可能な半田付け部を備えることを特徴としている。
【０００６】
このように構成した本発明は、回路基板と一体となったベース部材上に、絶縁性部材で一体に保持されたコイルを組み付け、さらに端子を回路基板に半田付けすれば組み付け作業を完了させることができ、煩雑な引き回し作業を不要にできる。
【０００７】
また、本発明は上記発明において、上記端子は、上記絶縁性部材にインサート成形されており、上記絶縁性部材が、その隅角部に切り欠き部を有し、この切り欠き部において上記端子の上記半田付け部を露出させたことを特徴としている。このように構成した本発明は、端子の半田付け部を絶縁性部材の隅角部に形成した切り欠き部に配置したので、絶縁性部材と端子を含めた部分の形状を小型にすることができる。
【発明の効果】
【０００８】
本発明は、回路基板と一体となったベース部材上に、絶縁性部材で一体に保持されたコイルを組み付け、さらに端子を回路基板に半田付けすれば組み付け作業を完了させることができ、煩雑な引き回し作業を不要にでき、従来に比べて製作作業能率を向上させることができる。
【０００９】
また、端子の半田付け部を、絶縁性部材の隅角部の切り欠き部に露出させるようにしたので、絶縁性部材と端子を含めた部分の形状を小型にすることができ、装置全体の小型化を実現できる。
【発明を実施するための最良の形態】
【００１０】
以下，本発明に係るレンズ駆動装置を実施するための最良の形態を図に基づいて説明する。
【００１１】
［本実施形態の構成］
図１は本発明に係るレンズ駆動装置の一実施形態を示す分解斜視図、図２は本実施形態の平面図、図３は本実施形態においてケースを外した状態を示す斜視図、図４は本実施形態においてケースを外した状態を示す平面図、図５は図２のＡ−Ａ断面図である。また、図６は本実施形態に備えられるバレルホルダの裏面側を示す斜視図、図７は本実施形態に備えられる板ばねを示す斜視図、図８は図４のＢ−Ｂ断面拡大図である。また、図９は本実施形態に備えられるコイルホルダ部分を示す斜視図、図１０は図４のＣ−Ｃ断面図、図１１は本実施形態に備えられる永久磁石と、コイル及びヨークとの配置関係を示す要部平面図である。
【００１２】
図１に示すように、本実施形態は、本体を形成するベース部材１と、このベース部材１が一体に組み付けられる回路基板２と、ベース部材１を覆うように配置される例えば金属から成るケース３とを備えている。ケース３内には、図３〜５に示すように、光学レンズ４を保持するレンズバレル５と、このレンズバレル５と一体に螺着されるバレルホルダ６と、このバレルホルダ６を光軸方向に付勢可能なばね７と、永久磁石９を保持する支持部材、例えば枠状に形成した板ばね８とを配置してある。また、このケース３内には、図５等に示すように、上述の永久磁石９と対向するように配置されるコイル１２を保持する絶縁性部材、すなわちコイルホルダ１０を配置してある。上述したケース３の上面には、光学レンズ４を保持するレンズバレル５及びバレルホルダ６が突出可能な開口３ａを形成してある。なお、上述したレンズバレル５とバレルホルダ６は、光学レンズ４を保持するレンズホルダを構成している。
【００１３】
上述したベース部材１には、光軸方向に延設されるガイド軸１ａ，１ｂを設けてあり、図４等に示すように、バレルホルダ６は、ガイド軸１ａ，１ｂが摺動可能に嵌合する嵌合部、すなわちガイド軸１ａが嵌合するガイド穴６ａと、ガイド軸１ｂが嵌合するガイド溝６ｂとを備えている。これらのガイド軸１ａ，１ｂと、ガイド穴６ａ及びガイド溝６ｂは、レンズホルダすなわちバレルホルダ６を光軸方向に案内するガイド機構を構成している。
【００１４】
上述した板ばね８は、例えばベース部材１側に固定され、図１，７等に示すように、光軸方向と直交する方向に弾性変形可能な撓み部８ａ，８ｂを有している。また、底部に折り曲げ部８ｃを有し、この折り曲げ部８ｃに突起１５を形成してある。さらに、バレルホルダ６を光軸方向と直交する方向に付勢する付勢部８ｄを切り起こして形成させてある。上述したバレルホルダ６の下縁部には、図６，８に示すように、板ばね８の突起１５が係合するカム部１６を形成してある。このカム部１６は、中央に位置する平坦部１６ａと、この平坦部１６ａの左右に位置する第１カム部１６ｂ、及び第２カム部１６ｃを有している。
【００１５】
なお、図８に示すように、バレルホルダ６の第１カム部１６ｂに連なる下縁１６ｂ１よりもバレルホルダ６の第２カム部１６ｃに連なる下縁１６ｃ１をわずかに後退させるように予め設定してある。
【００１６】
上述のように、本実施形態は、レンズホルダすなわちバレルホルダ６を光軸方向に移動させる駆動機構が、永久磁石９とコイル１２を含み、これらの永久磁石９とコイル１２の配置関係を、コイル１２に電流を流した際に永久磁石９またはコイル１２が、例えば永久磁石９が、電流の方向及び磁界の方向と直交する方向に変位可能な配置関係に設定してある。すなわち本実施形態では、永久磁石９とコイル１２の配置関係を、コイル１２を変位不能にコイルホルダ１０に保持させ、永久磁石９を板ばね７に固定することによって変位可能にする配置関係に設定してある。
【００１７】
また、本実施形態は、バレルホルダ６を光軸方向に移動させる駆動機構が、永久磁石９またはコイル１２の変位に伴って、例えば永久磁石９の変位に伴って、バレルホルダ６を光軸方向に移動させるカム部１６を上述したように備えている。
【００１８】
図１１に示すように、永久磁石９は、光軸と直交する方向にＳ極９ａとＮ極９ｂが配列された構成になっている。この永久磁石９を、コイル１２に所定方向の電流を流したときに光軸方向と直交する一方向、例えば図１１の矢印４０方向に変位し、コイル１２に上述の所定方向とは逆方向に電流を流したときに光軸方向と直交する他方向、例えば図１１の矢印４１方向に変位可能に配置してある。これに伴って、レンズホルダすなわちバレルホルダ６を、永久磁石９の上述した矢印４０方向の変位に応じて所定位置から第１位置まで移動し、永久磁石９の上述した矢印４１方向の変位に応じて所定位置から上述の第１位置とは異なる第２位置まで移動するように配置してある。
【００１９】
上述の第１位置は、所定位置からバレルホルダ６を突出させるように移動させる位置であり、上述の第２位置は、第１位置よりもさらにバレルホルダ６を突出させるように移動させる位置である。所定位置から第１位置へのバレルホルダ６の移動、及び所定位置から第２位置までのバレルホルダ６の移動は、後述するように板ばね８の突起１５と、バレルホルダ６のカム部１６との係合関係を介して行われるようになっている。
【００２０】
図１１等に示すように、上述のコイル１２は、磁性部材すなわちヨーク１１の周囲に巻き回してある。このヨーク１１の中央部１１ａは、永久磁石９のＳ極９ａとＮ極９ｂとの境界に対向する位置に配置してあり、このヨーク１１の側部１１ｂ，１１ｃは、コイル１２を囲むように配置してある。
【００２１】
上述のコイル１２及びヨーク１１を一体的に保持するコイルホルダ１０は、回路基板２に一体に設けられるベース部材１に組み付け可能になっている。また、図９に示すように、コイルホルダ１０にはヨーク１１の他に、コイル１２が結線される端子１７，１８をインサート成形によって設けてある。また、これらの端子１７，１８に対応するコイルホルダ１０の部分、すなわち一対の隅角部のそれぞれには、切り欠き部１０ａ，１０ｂをそれぞれ形成してある。同図９に示す端子１７，１８の下端部分は折り曲げられ、回路基板２との半田付け部、すなわち接続部１７ａ，１８ａを形成している。上述したコイルホルダ１０の切り欠き部１０ａ，１０ｂの形成によって、端子１７，１８の接続部１７ａ，１８ａは、半田付けが可能なように露出されている。
【００２２】
図５に示すように、コイルホルダ１０の下方に位置する回路基板２の部分には、コイル１２に電流を供給する半導体から成る制御回路、すなわちアクチュエータ制御ＩＣ２２を配置してある。この回路基板２上のアクチュエータ制御ＩＣ２２に接続されるように、上述した端子１７，１８の接続部１７ａ，１８ａが半田によって回路基板２に接続されるようになっている。また、同図５に示すように、光学レンズ４の下方に位置する回路基板２上には、ＩＲフィルタ２１とベース部材１によって気密封止されるイメージセンサ２０とを配置してある。上述したアクチュエータ制御ＩＣ２２を含む回路基板２と、この回路基板２上に搭載されるベース部材１及びＩＲフィルタ２１、イメージセンサ２０は、人が立ち入ることができないクリーン度の高い環境下で組み立てられる。
【００２３】
なお、上述したケース３内に配置される光学レンズ４を保持するレンズバレル５、バレルホルダ６、永久磁石９を保持する板ばね８等、並びにコイル１２とヨーク１１を保持するコイルホルダ１０を含むメカ部品は、人が立ち入ることができるクリーン度を下げた環境下でベース部材１上に、あるいは回路基板２上に組み付けることができる。
【００２４】
すなわち、半導体であるアクチュエータ制御ＩＣ２２を有する回路基板２及びベース部材１、ＩＲフィルタ２１、イメージセンサ２０の組立工程、すなわち半導体工程と、ベース部材１に組み付けられる他の部品及びコイルホルダ１０から成るメカ部品の組立工程、すなわちメカ工程とは互いに独立した別工程に設定され、半導体工程で組み立てられた回路基板２及びベース部材１上に、各メカ部品が組み付けられ、この状態においてコイルホルダ１０の端子１７，１８が接続部１７ａ，１８ａにおいて、回路基板２に半田付けされるようになっている。
【００２５】
なお、本実施形態では、上述した回路基板２のアクチュエータ制御ＩＣ２２、コイル１２及びヨーク１１、永久磁石９、板ばね８、この板ばね８に設けた突起１５、及びバレルホルダ６に設けたカム部１６によって、レンズホルダすなわちバレルホルダ６を光軸方向に移動させる駆動機構が構成されている。
【００２６】
［本実施形態の動作］
図１２，１３は本実施形態の動作を示す図で、図１２は非通電時の状態を示す要部平面図、図１３は通電時の状態を示す要部平面図である。
【００２７】
コイル１２に電流を流さない非通電時、すなわち電源がオフのときには、図１２に示すように、板ばね８の復帰力と、永久磁石９とヨーク１１の磁気的バランスとによって、永久磁石９は中立点において安定する。この状態にあっては、磁束の流れとしては矢印３０，３１，３２，３３，３４に示すように永久磁石９→ケース３の一部→永久磁石９に至る流れと、矢印３５に示すように永久磁石９→ヨーク１１の中央部１１ａ→永久磁石９に至る流れと、矢印３６，３７に示すように永久磁石９→ヨーク１１の側部１１ｂ→ケース３の一部→ヨーク１１の側部１１ｃ→永久磁石９に至る流れが存在している。
【００２８】
この非通電時にあっては、図８に示すように、板ばね８の折り曲げ部８ｃに設けた突起１５は、バレルホルダ６のカム部１６の平坦部１６ａに対向した状態にあり、これによってバレルホルダ６は所定位置に保持される。すなわち、バレルホルダ６に一体に設けたレンズバレル５に保持された光学レンズ４は、初期位置に保持される。この初期位置にあっては例えば近接撮影等が可能となる。
【００２９】
また、ばね７の付勢力によってレンズホルダ６はベース部材１方向に付勢されている。さらに、レンズホルダ６は板ばね８の付勢部８ｄの付勢力によって、そのガイド穴６ａ、ガイド溝６ｂが、ベース部材１のガイド軸１ａ，１ｂのそれぞれに当接するように付勢されている。
【００３０】
このような非通電状態から、電源をオンにして例えば同図１３に示すように、コイル１２に所定方向の電流を流すと、磁束の流れは矢印３８に示すように、永久磁石９のＮ極９ｂ→ケース３の一部→ヨーク１１の中央部１１ａ→永久磁石９のＳ極９ａ→Ｎ極９ｂへ至る流れとなる。これにより、フレミングの左手の法則によって永久磁石９には力Ｆが作用する。また、永久磁石９のＳ極９ａとヨーク１１の中央部１１ａとの間に結着力が作用し、その分力が力Ｆに加えられる。したがって、これらの合力によって永久磁石９は矢印４０方向に変位する。
【００３１】
この永久磁石９の変位に伴って、板ばね８の撓み部８ａ，８ｂは同図１３の破線８ｅで示すように弾性変形する。この板ばね８の弾性変形に応じて、図８に示す板ばね８の折り曲げ部８ｃの突起１５が矢印４２方向に移動する。これにより、突起１５がカム部１６の第１カム部１６ｂに係合し、例えば突起１５がバレルホルダ６の下縁１６ｂ１に当接する。この動作によりバレルホルダ６はばね７の付勢力に抗して、また、ガイド軸１ａ，１ｂに案内されて、同図８の矢印４４方向に第１位置まで移動する。すなわち、光学レンズ４が第１位置まで移動する。この第１位置にあっては、例えば人物撮影等が可能となる。
【００３２】
また、非通電状態から例えばコイル１２に上述の所定方向と逆方向の電流を流すと、図示省略するが磁束の流れは、図１３において、永久磁石９のＳ極９ａ→ケース３の一部→ヨーク１１の中央部１１ａ→永久磁石９のＮ極９ｂ→Ｓ極９ａへ至る流れとなる。これにより、フレミングの左手の法則による力によって、また、永久磁石９のＮ極９ｂとヨーク１１の中央部１１ａとの結着力によって、永久磁石９は同図１３の矢印４１方向に変位する。
【００３３】
この永久磁石９の矢印４１方向への変位に伴って、板ばね８は撓み部８ａ，８ｂを介して弾性変形し、図８に示す板ばね８の折り曲げ部８ｃの突起１５が図８の矢印４３方向に移動する。これにより、突起１５はバレルホルダ６の第２カム部１６ｃに係合し、例えばバレルホルダ６の下縁１６ｃ１に当接する。この動作により、バレルホルダ６はばね７の付勢力に抗して、また、ガイド軸１ａ，１ｂに案内されて、さらに同図８の矢印４４方向に第２位置まで移動する。すなわち光学レンズ４が第２位置まで移動する。この第２位置にあっては、例えば遠景撮影等が可能となる。
【００３４】
なお、上述のような状態から電源をオフにすると、永久磁石９は中立点に復帰し、ばね７の付勢力によってバレルホルダ６はガイド軸１ａ，１ｂに案内されてベース部材１方向に押し付けられ、板ばね８の突起１５がカム部１６の平坦部１６ａに対向する状態となり、バレルホルダ６は所定位置に復帰し、光学レンズ４は初期位置に戻される。
【００３５】
以上のように本実施形態では、光学レンズ４を所定位置すなわち初期位置と、第１位置と、第２位置との３つの異なった位置に移動させ、その位置に保持させることができる。
【００３６】
［本実施形態の効果］
このように構成した本実施形態によれば、回路基板２と一体となったベース部材１上に、絶縁性部材すなわちコイルホルダ１０で一体に保持されたコイル１２を組み付け、さらに端子１７，１８を回路基板２に半田付けすれば組み付け作業を完了させることができ、煩雑な引き回し作業を不要にできる。これにより、製作作業能率を向上させることができる。
【００３７】
また、コイル１２に通電すると永久磁石９が光軸と直交する方向に変位し、この変位に伴ってカム部１６を介してバレルホルダ６が光軸方向に移動する。すなわち、バレルホルダ６に保持された光学レンズ４を、モータを備えることなく光軸方向に移動させることができる。このように、外形寸法に制約を与えるモータを備えずにカム部１６を介して光学レンズ４を移動させることができるので、装置の小型化を実現させることができ、カメラ付き携帯電話等の小型電子機器に容易に組み込むことができる。
【００３８】
また、端子１７，１８の半田付け部すなわち接続部１７ａ，１７ｂを、コイルホルダ１０の隅角部の切り欠き部１０ａ，１０ｂに露出させるようにしたので、コイルホルダ１０と端子１７，１８を含めた部分の形状を小型にすることができる。これにより、装置全体の小型化を実現できる。
【００３９】
また、永久磁石９を支持する支持部材、すなわち板ばね８が、その撓み部８ａ，８ｂを介して永久磁石９とともに光軸と直交する方向に変位するのに伴って、カム部１６を介してバレルホルダ６を光軸方向に移動させることができる。板ばね８は、バレルホルダ６とは別体に設けてあるものの近接させて囲むように配置できることから、バレルホルダ６のほぼ直径に相応する幅寸法内に収めることができ、装置の小型化の実現に貢献する。
【００４０】
また、カム部１６をレンズホルダ、すなわちバレルホルダ６に設けたことから、バレルホルダ６がカム部構成部品を兼ね、これによって構成を簡単にすることができ、製作費を安くすることに貢献する。
【００４１】
また、永久磁石９は、光軸方向と直交する方向にＳ極９ａとＮ極９ｂが配列されて成り、コイル１２に所定方向の電流を流すと永久磁石９の一方向の変位に伴ってバレルホルダ６を第１位置まで移動させ、コイル１２に所定方向とは逆方向の電流を流すと、永久磁石９の他方向の変位に伴ってバレルホルダ６を第２位置まで移動させることができる。すなわち、コイル１２に流す電流の方向を変化させるだけの簡単な操作で、複数すなわち３つの異なる位置に光学レンズ４を移動させることができる。
【００４２】
また、コイル１２を磁性部材、すなわちヨーク１１の周囲に巻き回すとともに、ヨーク１１を永久磁石９のＳ極９ａとＮ極９ｂの境界に対向する位置に配置したことから、コイル１２に電流を流して永久磁石９を一方向または他方向に変位させる際に、ヨーク１１と永久磁石９との間に結着力を生じさせることができ、この結着力を永久磁石９の変位のために有効に活用でき、安定した動作を実現させることができる。
【００４３】
また、支持部材すなわち板ばね９に、バレルホルダ６を光軸方向と直交する方向へ付勢する付勢部８ｄを形成したことから、バレルホルダ６をガイド軸１ａ，１ｂに常に当接させた状態とすることができる。これにより、部品数を増やすことなくガイド軸１ａ，１ｂ部分におけるガタを生じさせなくすることができ、これによっても安定した動作を実現させることができる。
【００４４】
［別の実施形態］
図１４は本発明の別の実施形態を示す要部平面図である。この図１４に示す別の実施形態では、ヨーク１１の形状を上述した実施形態とは異ならせてある。すなわち、上述した実施形態では備えられていた図１１等に示すヨーク１１の側部１１ｂ，１１ｃの部分を、除去した構成にしてある。その他の構成は例えば上述した実施形態と同等である。
【００４５】
この図１４に示す別の実施形態ではヨーク１１がコイル１２を囲む側部を有さないことから、永久磁石９が上述の中立点に安定して存在できなくなる。その結果非通電時でも永久磁石９は同図１４の矢印４０方向に、あるいは矢印４１方向に移動してどちらかの側において静止保持される。すなわち、板ばね８の突起１５が、バレルホルダ６のカム部１６の第１カム部１６ｂに連なる下縁１６ｂ１に当接する状態、あるいは第２カム部１６ｃに連なる下縁１６ｃ１に当接する状態となる。これらの動作によってバレルホルダ６を、すなわち光学レンズ４を、第１位置と第２位置の複数の位置に保持させることができる。
【００４６】
このように構成した別の実施形態も、上述した実施形態と同様にモータを備えることなくバレルホルダ６、すなわちレンズホルダを移動させ、これに応じて光学レンズ４を移動させることができるので、上述した実施形態と同等の効果を得ることができる。
【００４７】
なお、上記各実施形態では、バレルホルダ６を光軸方向に移動させる駆動機構に含まれる永久磁石９とコイル１２の配置関係を、コイル１２をコイルホルダ１０を介して回路基板２上に固定し、コイル１２に電流を流した際に永久磁石９が、電流の方向及び磁界の方向と直交する方向に変位可能な配置関係に設定してあるが、これとは逆に、永久磁石９を固定させ、コイル１２に電流を流した際にコイル１２が、電流の方向及び磁界の方向と直交する方向に変位可能な配置関係に構成することもできる。このように構成した場合には、カム部１６の配設位置は、コイル１２の変位に伴ってバレルホルダ６を光軸方向に移動させることが可能となるように設定すればよい。
【００４８】
また、上記各実施形態では、支持部材すなわち板ばね８をベース部材１側に連結し、カム部１６をバレルホルダ６側に設けた構成にしてあるが、本発明は、このように構成することには限られない。板ばねをレンズホルダ、すなわちバレルホルダ６側に連結し、カム部１６を板ばね８に設け、例えばベース部材１側にカム部１６に係合する突起１５を設ける構成にしてもよい。このように構成したものは、カム部１６が設けられる板ばね８がカム形成部品を兼ね、これによって構成を簡単にすることができ、製作費を安くすることに貢献する。
【図面の簡単な説明】
【００４９】
【図１】本発明に係るレンズ駆動装置の一実施形態を示す分解斜視図である。
【図２】本実施形態の平面図である。
【図３】本実施形態においてケースを外した状態を示す斜視図である。
【図４】本実施形態においてケースを外した状態を示す平面図である。
【図５】図２のＡ−Ａ断面図である。
【図６】本実施形態に備えられるバレルホルダの裏面側を示す斜視図である。
【図７】本実施形態に備えられる板ばねを示す斜視図である。
【図８】図４のＢ−Ｂ断面拡大図である。
【図９】本実施形態に備えられるコイルホルダ部分を示す斜視図である。
【図１０】図４のＣ−Ｃ断面図である。
【図１１】本実施形態に備えられる永久磁石と、コイル及びヨークとの配置関係を示す要部平面図である。
【図１２】本実施形態の動作を示す図で、特に非通電時の状態を示す要部平面図である。
【図１３】本実施形態の動作を示す図で、特に通電時の状態を示す要部平面図である。
【図１４】本発明の別の実施形態を示す要部平面図である。
【符号の説明】
【００５０】
１    ベース部材
１ａ  ガイド軸（ガイド機構）
１ｂ  ガイド軸（ガイド機構）
２    回路基板
３    ケース
３ａ  開口
４    光学レンズ
５    レンズバレル（レンズホルダ）
６    バレルホルダ（レンズホルダ）
６ａ  ガイド穴（ガイド機構）
６ｂ  ガイド溝（ガイド機構）
７    ばね
８    板ばね（支持部材）［駆動機構］
８ａ  撓み部
８ｂ  撓み部
８ｃ  折り曲げ部
８ｄ  付勢部
９    永久磁石（駆動機構）
９ａ  Ｓ極
９ｂ  Ｎ極
１０    コイルホルダ（絶縁性部材）
１０ａ  切り欠き部
１０ｂ  切り欠き部
１１    ヨーク（磁性部材）［駆動機構］
１１ａ  中央部
１１ｂ  側部
１１ｃ  側部
１２    コイル（駆動機構）
１５    突起（駆動機構）
１６    カム部（駆動機構）
１６ａ  平坦部
１６ｂ  第１カム部
１６ｂ１  下縁
１６ｃ  第２カム部
１６ｃ１  下縁
１７    端子
１７ａ  接続部（半田付け部）
１８    端子
１８ａ  接続部（半田付け部）
２０    イメージセンサ
２１    ＩＲフィルタ
２２    アクチュエータ制御ＩＣ（駆動機構）
【図１】
2007241064.tif 000003
【図２】
2007241064.tif 000004
【図３】
2007241064.tif 000005
【図４】
2007241064.tif 000006
【図５】
2007241064.tif 000007
【図６】
2007241064.tif 000008
【図７】
2007241064.tif 000009
【図８】
2007241064.tif 000010
【図９】
2007241064.tif 000011
【図１０】
2007241064.tif 000012
【図１１】
2007241064.tif 000013
【図１２】
2007241064.tif 000014
【図１３】
2007241064.tif 000015
【図１４】
2007241064.tif 000016